(57)【要約】【課題】  電柱との間に間隙を形成できることは勿論、１本の支持バンドに３個程度の引き上げ管支持金具を着脱可能に取り付けることができるようにする。【解決手段】  左右両側には引き上げ管Ｐ取り付け用の締付けバンド２の両自由端部２１を嵌め込んで締付け自在とする嵌め込み部１４を、前側には電柱Ｔと該電柱に巻き付けた支持バンドの間に差し込み自在である差し込み板部１５をそれぞれ備えている金具本体と、その締付けバンド２により構成されている。【選択図】図１
2008228549.tif 000002
【特許請求の範囲】
【請求項１】
左右両側には引き上げ管取り付け用の締付けバンドの両自由端部を嵌め込んで締付け自在とする嵌め込み部を、また前側には電柱と該電柱に巻き付けた支持バンドの間に差し込み自在である差し込み板部をそれぞれ備えている金具本体と、その締付けバンドにより構成されていることを特徴とする引き上げ管支持金具。
【請求項２】
嵌め込み部は、金具本体の上面板部と後面板部に対し該両板部との間に間隙を存在させた状態で、左右に側板部が連設されていることにより形成され、また、差し込み板部は、両側板部寄り部分を切り残した状態で、見掛け上の前面板部を前垂れ状にして下半部が上記側板部より突出するように形成されていることを特徴とする請求項１記載の引き上げ管支持金具。
【請求項３】
嵌め込み部を通して締め付けボルトを左右の側板部間に該側板部とは相対的回転不能に横架し、締付けボルトに締付けバンドの両自由端部を締付け自在とするナットを螺合して構成されていることを特徴とする請求項１または２記載の引き上げ管支持金具。
【請求項４】
差し込み板部の左右両縁には前開き状に傾斜させて電柱と当接できる安定座が突設され、この安定座より下側の差し込み板部の下方部分は支持バンドと圧接できるように後方へ向かって若干傾斜させて構成されていることを特徴とする請求項１または２記載の引き上げ管支持金具。
【発明の詳細な説明】
【技術分野】
【０００１】  本発明は、通信線等の屋外ケーブルを電柱等に縦添えして配線するに際して、その屋外ケーブル防護用の引き上げ管を電柱等に支持するために用いる引き上げ管支持金具に関する。
【背景技術】
【０００２】  ケーブル防護用の引き上げ管を電柱へ縦添えして取り付けるには、電柱と引き上げ管を巡るようにして巻きつけできる長さの鉄製の支持バンドを用いて、その支持バンドの両端を締付け具により連結して締付ける方法が一般的に知られている。この方法では、電柱と引き上げ管は強く接合していて両者の間に間隙を存在させることができないので、電柱標識板等が後着けである場合は、人力によって電柱と引き上げ管の間に無理矢理に間隙を作って取り付けるか、電柱標識板の見栄えが悪くなっても電柱と引き上げ管を巡るようにして取り付けていたので、作業性や外観の点で問題があった。また、引き上げ管は上下２箇所で電柱に取り付けられるため、引き上げ管ごとに２本の支持バンドが必要である。【０００３】  一方、このような間隙に関する問題を解消できる電柱用引き上げ管の支持金具としては、電柱の囲繞部と引き上げ管の囲繞部との間にくび部を形成した構造のものが従来より公然知られている。この公然知られている電柱用引き上げ管の支持金具は、くび部に装着されたボルトとナットによって上記両囲繞部が同時に締付け自在である、連結自在な鉄製の支持バンドにより構成されていて、くび部の存在により電柱と引き上げ管の間に間隙を存在させることができる。
【特許文献１】  意匠登録第１０９６８４５号公報
【発明の開示】
【発明が解決しようとする課題】
【０００４】  上記公然知られている電柱用引き上げ管の支持金具では間隙については解決されているが、電柱に取り付けられる引き上げ管ごとに２個の支持金具が必要であることは単純な支持バンドだけで支持するものと同様である。因みに、引き上げ管は、通常、多くて３本を１本の電柱に取り付けて用いられており、仮に１本の電柱に立ち上がり管を３本取り付けるとすると、支持金具は１本の電柱に６個必要となって、各々の支持金具の締付け操作と相俟って取り付け作業には時間がかかり、作業性の面での改善は望めなかった。【０００５】  本発明はこのような問題を解決したものであって、その目的は電柱に巻き付けて締着される１本の支持バンドに３個程度の複数個を着脱可能に取り付けることができる引き上げ管支持金具を提供することにある。即ち、本発明の引き上げ管支持金具は、電柱の上下２箇所に装着されている支持バンド（この種の支持作業に用いられている従来の単純な支持バンド）のそれぞれに取り付けて、上下一対の支持金具の組の各々に、電柱との間に間隙を存在させた状態で、引き上げ管を支持させることができるものである。
【課題を解決するための手段】
【０００６】  上記目的を達成するために、本発明の特徴とする引き上げ管支持金具は、左右両側には引き上げ管取り付け用の締付けバンドの両自由端部を嵌め込んで締付け自在とする嵌め込み部を、また前側には電柱と該電柱に巻き付けた支持バンドの間に差し込み自在である差し込み板部をそれぞれ備えている金具本体と、その締付けバンドにより構成されている。この基本構成において、金具本体は板取りされた１枚の金属板（一般的には鉄板）をプレス加工して形成されている。【０００７】  本発明の構成において、左右の両嵌め込み部は、金具本体の上面板部と後面板部に対し該両板部との間に間隙を存在させた状態で、左右に側板部が連設されていることにより形成され、また、差し込み板部は、両側板部寄り部分を切り残した状態で、見掛け上の前面板部を前垂れ状にして下半部が上記側板部より突出するように形成されている。そして、締付けバンドの両自由端部を締付け自在とする締め付けボルトを左右の側板部間に嵌め込み部を通して該側板部とは相対的回転不能に横架し、締付けボルトに螺合したナットの締付け操作により左右の両側板部が互いに接近する方向に押圧して、され、締付けバンドを締付けできる仕組である。【０００８】  締付けバンドの両自由端部は相対向した状態で折り曲がり、締付けねじ上に緩く嵌め合わすことができる下向きコの字状の嵌合部に形成されている。差し込み板部の左右両縁には前開き状に傾斜させて本支持金具の取り付け完了時に電柱と当接する安定座が突設され、また、差し込み板部の下方部分は後方へ向かって若干傾斜させて、支持バンドに圧接して抜け止めの機能を果たすように実施するのが好ましく、これらによって本支持金具の取り付け状態は強固に安定する。
【発明の効果】
【０００９】  電柱と該電柱に予め緩く巻き付けられている支持バンドの間に差し込み板部を差し込み、支持バンドを電柱に対して締付ければ、本支持金具の取り付け状態は強固に確定し、電柱への引き上げ管の支持作業は本支持金具へ取り付けた締付けバンドの締付け操作によって簡単かつ安全に遂行できる。また、本支持金具は、実用的には１本の支持バンドに３個程度取り付けることが可能となるため、１本の電柱に、例えば、引き上げ管を３個支持させるというような場合でも、支持バンドは高低の上下両位置に用いる２本だけで済むため、特に高所側位置での支持作業には便利であって、危険な労力を低減できることは勿論、作業性は格段に向上でき、かつ、美観上からも良好である。
【発明を実施するための最良の形態】
【００１０】  以下に、本発明を実施するための形態を図面を参照して説明する。図１と図３において、総括的に符号１で示す金具本体は板取りされた１枚の鉄板によって構成されており、金具本体１は、下面が開放されていて上面板部１１と後面板部１２に対し該両板部１１，１２との間に間隙を存在させた状態で、左右両側に側板部１３，１３を連設して形成することにより設けた嵌め込み部１４，１４と、上面板部１１の前側に両側板部１３，１３寄り部分を切り残した状態で、見掛け上の前面板部を前垂れ状にして下半部が両側板部１３，１３より突出するように形成して設けた差し込み板部１５を備えている。【００１１】  嵌め込み部１４，１４には引き上げ管Ｐの支持に用いる鉄板製の締付けバンド２の自由端部２１，２１が嵌め込み自在であり、差し込み板部１５は、電柱Ｔに巻き付けられた支持バンド（従来用いられているものであって、図示省略する）側へ完全に差し込まれたときに、下端寄り部分１５ａが支持バンドの下縁より若干（２〜３ｍｍ程度）突出する長さに形成されている。また、左右の両側板部１３，１３には締付ボルト（例えば角根ボルト）３を該両側板部１３側とは相対的回転不能に横架する四角穴１３ａが穿設されており、その両側板部１３，１３間に嵌め込み部１４，１４を通して締付けボルト３を横架し、この締付けボルト３に螺合したナット３１の締付け操作によって両側板部１３，１３を互いに接近方向へ向かって押圧し、嵌め込み部１４，１４に差し込まれた締付けバンド２の両自由端部１２，１２を締付けることができる。【００１２】  締付けバンド２の自由端部２１，２１は相対向した状態で（平行に）折り曲がり、締付けボルト３上に緩く嵌め合わすことができる下向きコの字状の嵌合部に形成されている。差し込み板部１５の左右両縁には、電柱Ｔの周面と対向するように前開き状に傾斜（２４°程度）させて、本支持金具の取り付け完了時に電柱Ｔと当接する安定座１５ｂ，１５ｂが突設されており、また、差し込み板部１５の下方部分１５ａは後方へ向かって若干傾斜させ、支持バンドに圧接して抜け止めの機能を果たすように実施するのが好ましく、これらによって本支持金具の取り付け状態は強固に安定する。【００１３】  側板部１３の上縁１３ｂ側は外側へ向けて若干傾斜しており（３０°程度）、この傾斜によって締付けバンド２の自由端部２１，２１の嵌め込み部１４，１４への嵌め込み操作が容易にできる。締付けバンド２はヒンジ部２２により連結された２分割のものが図示されているが、これはヒンジ部２２をなくした分割されていない形態として本発明を実施することも可能である。図中、３ａは締付けボルト３の四角部分、３２はばね座金、３３は座金である。なお、本支持金具の一つの実施例のものの要部の寸法を示すと、上面板部１１は（４３×２２．５）ｍｍ、側板部１３の高さは２５ｍｍ程度、差し込み板部は（２６×４１）ｍｍ程度、締付けバンド２の内径は９５．５ｍｍ程度、金具本体１と締付けバンド２の肉厚は２．３ｍｍ程度である。
【図面の簡単な説明】
【００１４】
【図１】  本発明の一実施例の使用状態を支持バンドを除いて示す平面図である。
【図２】  図１に示されている支持金具の正面図である。
【図３】  図１のＡ−Ａ線断面図である。
【図４】  図２に示されているものの分解斜視図である。
【符号の説明】
【００１５】１は金具本体
２は締付けバンド
３は締付けボルト
３ａは四角部分
１１は上面板部
１２は後面板部
１３は側板部
１３ａは四角穴
１４は嵌め込み部
１５は差し込み板部
１５ａは下方部分
１５ｂは安定座
２１は自由端部
３１はナット
Ｐは引き上げ管
Ｔは電柱
【図１】
2008228549.tif 000003
【図２】
2008228549.tif 000004
【図３】
2008228549.tif 000005
【図４】
2008228549.tif 000006